(57)【要約】【課題】冷却用ファンの回転周波数と投写型映像表示装置の共振周波数との共振現象に起因する投写型映像表示装置の共振振動の発生を抑制する投写型映像表示装置を提供する。【解決手段】プロジェクタ装置１は、光源部１００と、光源部１００からの光を映像信号によって変調して映像光を生成する映像生成部３００と、映像光を投写する投写光学系４００と、光源部１００を冷却する複数のファン６３０と、複数のファン６３０の回転数を制御する冷却コントロール部９００とを備える。冷却コントロール部９００は、複数のファン６３０のうちの一部のファンをプロジェクタ装置１の共振周波数に対応する回転数よりも低い第１の回転数で回転させ、複数のファン６３０のうちの一部のファン以外のファンを共振周波数に対応する回転数よりも高い第２の回転数で回転させる。【選択図】図２
2017211492.tif 000002
【特許請求の範囲】
【請求項１】
映像光を投写して表示する投写型映像表示装置であって、
光源部と、
前記光源部からの光を映像信号によって変調して前記映像光を生成する映像生成部と、
前記映像光を投写する投写光学系と、
前記光源部を冷却するための複数のファンと、
前記複数のファンの回転数を制御する制御部と、
を備え、
前記制御部は、前記複数のファンのうちの一部のファンを前記投写型映像表示装置の共振周波数に対応する回転数よりも低い第１の回転数で回転させ、前記複数のファンのうちの前記一部のファン以外のファンを前記共振周波数に対応する回転数よりも高い第２の回転数で回転させる、
投写型映像表示装置。
【請求項２】
前記投写型映像表示装置の周囲温度を検出する温度センサをさらに備え、
前記制御部は、前記投写型映像表示装置の周囲温度の上昇に応じて前記複数のファンの総回転数が大きくなるように、前記第１の回転数で回転させるファンの数及び前記第２の回転数で回転させるファンの数を設定する、
請求項１に記載の投写型映像表示装置。
【請求項３】
前記制御部は、
所定の温度範囲ごとに設定された複数の回転モードを有し、
最も低い温度範囲に関する回転モードでは、前記複数のファンを前記第１の回転数で回転させ、
最も高い温度範囲に関する回転モードでは、前記複数のファンを前記第２の回転数で回転させ、
最も低い温度範囲と最も高い温度範囲の間の温度範囲に関する回転モードでは、前記複数のファンのうちの一部のファンを前記第１の回転数で回転させ、前記複数のファンのうちの前記一部のファン以外のファンを前記第２の回転数で回転させる、
請求項２に記載の投写型映像表示装置。
【請求項４】
前記複数のファンのそれぞれを異なる回転数で回転させる、
請求項１又は２に記載の投写型映像表示装置。
【請求項５】
前記複数の回転モードのそれぞれにおいて、前記複数のファンのそれぞれを異なる回転数で回転させる、
請求項３に記載の投写型映像表示装置。
【請求項６】
前記複数の回転モードのそれぞれにおいて、前記複数のファンとその回転数とが対応付けされた回転数制御テーブルを記憶する記憶部をさらに備え、
前記制御部は、前記回転数制御テーブルを参照して、前記複数のファンの回転数を設定する、
請求項３又は５に記載の投写型映像表示装置。
【発明の詳細な説明】
【技術分野】
【０００１】
本開示は、映像光を投写して表示する投写型映像表示装置に関する。
【背景技術】
【０００２】
特許文献１は、プロジェクタを開示する。このプロジェクタは、筐体内部に収容する発熱する部材（例えば、液晶パネルなどの光学変調素子）に対して冷却用の空気を送風する同一種類の複数の冷却ファンと、複数の冷却ファンを駆動するファン駆動部と、ファン駆動部の動作を制御する冷却制御部とを有し、冷却制御部は、所定の比率の差を有する回転数で複数の冷却ファンを駆動させる。また、冷却制御部は、発熱する部材の温度上昇または温度下降に伴って複数の冷却ファンの回転数を増加または減少させる制御を行い、その際、所定の比率の差を維持して回転数を増加または減少させる。これにより、同一種類の複数の冷却ファンを同一の回転数で駆動させた場合に、複数の冷却ファンの回転数ばらつきにより発生するうなりを聴覚上低減させることができる。
【０００３】
また、特許文献２は、プロジェクタとは異なるが、プラズマディスプレイパネル装置を開示する。このプラズマディスプレイパネル装置は、プラズマディスプレイパネル等の発熱による過熱状態を防止するための強制空冷用の冷却ファンを備えたＰＤＰ装置であり、装置内部温度を検出する温度検出部と、検出温度と基準値との差分を求める演算部と、差分及び運転表に基づき冷却ファンの運転モードを判別する判別部と、運転モードに応じて冷却ファンの風量を可変制御するファン制御部と、冷却ファンを駆動する駆動部と、基準値、運転表及び運転モードを記憶する記憶部と、演算結果の差分などを一時記憶するメモリ部と、複数の冷却ファンを有する冷却ファン部を備え、運転モードに基づき冷却ファンをファン毎に異なる回転数で運転させる。具体的には、装置内部温度に基づく検出温度が基準値よりも小の場合、運転表の低速モードに従って各ファンを同一回転数で運転し、一方、検出温度が基準値よりも大の場合、運転表の高速モードに従って各ファンを異なる回転数で運転する。これにより、高速運転時にファンの振動が増加しシャシ等に伝達して共振現象を起こし、シャシ等の固有振動数に基づいて耳障りな騒音が発生することを低減することができる。
【先行技術文献】
【特許文献】
【０００４】
【特許文献１】特開２００９−３００４７９号公報
【特許文献２】特開２０００−２４２３４０号公報
【発明の概要】
【発明が解決しようとする課題】
【０００５】
本開示は、冷却用ファンの回転周波数と投写型映像表示装置の共振周波数（固有振動数）との共振現象に起因する投写型映像表示装置の共振振動の発生を抑制する投写型映像表示装置を提供する。
【課題を解決するための手段】
【０００６】
本開示における投写型映像表示装置は、映像光を投写して表示する投写型映像表示装置であって、光源部と、光源部からの光を映像信号によって変調して映像光を生成する映像生成部と、映像光を投写する投写光学系と、光源部を冷却するための複数のファンと、複数のファンの回転数を制御する制御部とを備える。制御部は、複数のファンのうちの一部のファンを投写型映像表示装置の共振周波数に対応する回転数よりも低い第１の回転数で回転させ、複数のファンのうちの一部のファン以外のファンを共振周波数に対応する回転数よりも高い第２の回転数で回転させる。
【発明の効果】
【０００７】
本開示における投写型映像表示装置は、冷却用ファンの回転周波数と投写型映像表示装置の共振周波数との共振現象に起因する投写型映像表示装置の共振振動の発生を抑制することができる。そのため、投写型映像表示装置の共振振動に起因する投写映像の揺れ（乱れ）の発生を抑制することができる。
【図面の簡単な説明】
【０００８】
【図１】実施の形態１にかかるプロジェクタ装置の外観斜視図
【図２】実施の形態１にかかるプロジェクタ装置の内部構成を概略的に示す図
【図３】冷却部の送風冷却機構とラジエターとの配置の一例を示す図
【図４】冷却部の送風冷却機構におけるファンの配置の一例を示す図
【図５】実施の形態１の冷却コントロール部の記憶部に記憶された回転数制御テーブルの一例を示す図
【図６】比較例１にかかる回転数制御テーブルの一例を示す図
【図７】実施の形態２の冷却コントロール部の記憶部に記憶された回転数制御テーブルの一例を示す図
【図８】比較例２にかかる回転数制御テーブルの一例を示す図
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者（ら）は、当業者が本開示を十分に理解するために添付図面および以下の説明を提供するのであって、これらによって特許請求の範囲に記載の主題を限定することを意図するものではない。
【００１１】
（実施の形態１）
以下、添付の図面を用いて実施の形態１を説明する。以下では、本開示にかかる投写型映像表示装置の具体的な実施の形態としてプロジェクタ装置を説明する。
【００１２】
［１−１．構成］
図１は、実施の形態１にかかるプロジェクタ装置の外観斜視図である。図１に示すように、投写型映像表示装置１は、映像信号に応じて生成した映像光をスクリーン（投写面）２等に投写する。以下、まず映像光を投写するための光学系の構成の一例を説明し、次いで、光学系を冷却するための冷却系（本開示の特徴部分）の構成について説明する。
【００１３】
［１−１−１．光学系の構成］
図２は、実施の形態１にかかるプロジェクタ装置の内部構成を概略的に示す図である。プロジェクタ装置１は、光学系の構成として、略直方体状の筐体１０内に、光源部１００と、導光光学系２００と、映像生成部３００と、投写光学系４００と、表示コントロール部５００とを備える。なお。図２には、光源部１００から出射する光の経路Ｌを一点鎖線で示している。また、図２では、表示コントロール部５００、及び、後述する冷却部６００、７２０等における電気的な接続の図示を省略している。
【００１４】
プロジェクタ装置１は、光源部１００で生成された光を、映像生成部３００におけるデジタルマイクロミラーデバイス（以下、「ＤＭＤ」と称する）を用いて表示コントロール部５００からの映像信号に応じて変調することによって映像光を生成する。プロジェクタ装置１は、生成した映像光を投写光学系４００によってスクリーン等に投写する。以下、各部構成について詳細に説明する。
【００１５】
光源部１００は、発光管１１０とリフレクタ１２０とを有する。発光管１１０は、互いに波長域が異なる赤色の光、緑色の光、及び青色の光を含む光を射出する。発光管１１０は、例えば、超高圧水銀ランプやメタルハライドランプで構成される。リフレクタ１２０は、発光管１１０から射出された光を反射させて射出方向を揃え、導光光学系２００へ導く。
【００１６】
導光光学系２００は、光源部１００から出射された光を映像生成部３００に導く。導光光学系２００は、コンデンサレンズ２１０と、ロッド２２０と、リレーレンズ２３０と、反射ミラー２４０とを有する。
【００１７】
コンデンサレンズ２１０は、光源部１００から射出された光をロッド２２０に集光するレンズである。ロッド２２０は、内部で光を全反射させる光学部品である。コンデンサレンズ２１０を介して入射した光は、ロッド２２０内で複数回反射する。これにより、ロッド２２０を介した光の光強度分布は実質的に均一になる。
【００１８】
リレーレンズ２３０は、ロッド２２０の出射面の光束を映像生成部３００におけるＤＭＤに結像するレンズである。反射ミラー２４０は、リレーレンズ２３０からの光を反射して光の進行方向を９０度変更するミラーである。リレーレンズ２３０で反射した光は、映像生成部３００に入射する。
【００１９】
映像生成部３００は、導光光学系２００からの光を、表示コントロール部５００からの映像信号によって変調して映像光を生成する。映像生成部３００は、フィールドレンズ３１０と、全反射プリズム３２０と、カラープリズム３３０と、ＤＭＤ３４１、３４２、３４３とを有する。フィールドレンズ３１０は、入射した光の進行方向を略平行にするレンズである。フィールドレンズ３１０を介した光は、全反射プリズム３２０に入射する。
【００２０】
全反射プリズム３２０は、プリズム３２１とプリズム３２２とで構成される。プリズム３２１とプリズム３２２との近接面には薄い空気層３２５が存在する。空気層３２５は、臨界角以上の角度で入射する光を全反射する。全反射した光は、カラープリズム３３０に入射する。
【００２１】
カラープリズム３３０は、プリズム３３１、プリズム３３２及びプリズム３３３で構成される。プリズム３３１とプリズム３３２との近接面には青色の光を反射するダイクロイックミラー３３５が設けられている。また、プリズム３３２とプリズム３３３との近接面には赤色の光を反射するダイクロイックミラー３３６が設けられている。
【００２２】
ＤＭＤ３４１、３４２、３４３は、１９２０×１０８０個のマイクロミラーを有する。ＤＭＤ３４１、３４２、３４３は、映像信号に応じて、各マイクロミラーを偏向させる。これにより、ＤＭＤ３４１、３４２、３４３は、投写光学系４００に入射させる光と、投写光学系４００の有効範囲外へ反射する光とに分ける。なお、ＤＭＤ３４１には、緑色の光が入射する。ＤＭＤ３４２には、赤色の光が入射する。ＤＭＤ３４３には、青色の光が入射する。ＤＭＤ３４１、３４２、３４３で反射された光のうち投写光学系４００に入射する光は、カラープリズム３３０にて合成される。合成された光は、全反射プリズム３２０に入射する。全反射プリズム３２０に入射した光は、空気層３２５に臨界角以下で入射する。従って、この光は空気層３２５を透過して投写光学系４００に入射する。
【００２３】
投写光学系４００は、入射した光を拡大するための光学系である。投写光学系４００は、フォーカス調整機能やズーム機能を有するレンズである。
【００２４】
表示コントロール部５００は、半導体メモリなどの記憶部、ＣＰＵやＭＰＵ等の制御部を備え、制御部が記憶部に記憶された各種プログラムを実行することにより、プロジェクタ装置１の全体を制御する。なお、制御部の機能は、ハードウェアとソフトウェアの協同により実現したが、制御部を所定の機能を実現するように専用に設計されたハードウェア回路のみで実現してもよい。例えば、制御部は、ＣＰＵ、ＭＰＵのみならず、ＤＳＰ、ＦＰＧＡ、ＡＳＩＣ等で構成することができる。
【００２５】
表示コントロール部５００は、記憶部に記憶された映像信号、又は、外部から入力される映像信号を映像生成部３００におけるＤＭＤ３４１、３４２、３４３に供給する。これにより、映像生成部では、映像信号で変調された映像光を生成する。
【００２６】
［１−１−２．冷却系の構成］
次に、プロジェクタ装置１の冷却系の構成について説明する。図２に示すように、プロジェクタ装置１は、冷却系の構成として、筐体１０内に、冷却部６００、７２０と、温度センサ８００と、冷却コントロール部９００とを備える。
【００２７】
プロジェクタ装置１は、光学系における熱源、特に光源部１００を冷却部６００によって冷却する。その際、冷却コントロール部９００は、温度センサ８００で検出されたプロジェクタ装置１の周囲温度に応じて、冷却部６００におけるファンの回転数を制御する。これにより、プロジェクタ装置１の使用環境の変化に応じてファンの回転数を変更し、冷却能力を調節することができる。
【００２８】
また、プロジェクタ装置１は、表示コントロール部５００や冷却コントロール部９００、及び光学系（２００、３００、４００）を冷却部７２０によって冷却する。その際、冷却コントロール部９００は、プロジェクタ装置１の周囲温度に応じて、冷却部７２０におけるファンの回転数を制御する。以下、各部構成について詳細に説明する。
【００２９】
冷却部６００は、液冷方式で冷却を行う冷却部であり、液冷機構６１０と送風冷却機構６２０とを備える。
【００３０】
液冷機構６１０は、受熱部６１１と、冷却水ホース６１２と、ラジエター６１３とを有する。受熱部６１１は光源部１００に密着するように設けられ、ラジエター６１３は筐体１０の側壁近傍に設けられる。受熱部６１１とラジエター６１３とは、冷却水ホース６１２を介して、例えば受熱部６１１に設けられたポンプによって冷却水を循環させる。この構成により、光源部１００からの熱が受熱部６１１における冷却水に伝搬し、受熱部６１１とラジエター６１３との間で冷却水が循環することによってラジエター６１３において放熱される。これにより、冷却部６００は光源部１００を冷却する。
【００３１】
送風冷却機構６２０は、複数のファン６３０と、これらのファン６３０を固定するファンケース６２１とを有する。送風冷却機構６２０は、ラジエター６１３近傍に設けられ、複数のファン６３０によってラジエター６１３に送風する。これにより、ラジエター６１３での放熱効果を高め、冷却部６００による光源部１００の冷却効果を高める。
【００３２】
図３は、送風冷却機構６２０とラジエター６１３との配置の一例を示す図である。図３（ａ）は、組み立てられた状態における送風冷却機構６２０とラジエター６１３とを示し、図３（ｂ）は、分解された状態における送風冷却機構６２０とラジエター６１３とを示している。図３（ａ）及び図３（ｂ）の例では、送風冷却機構６２０は、複数のファン６３０がラジエター６１３と対向するように設けられている。なお、図３（ａ）に示すように、送風冷却機構６２０は、ファンケース６２１によってラジエター６１３を固定してもよい。
【００３３】
図４は、送風冷却機構６２０におけるファン６３０の配置の一例を示す図である。図４には、図２に示す送風冷却機構６２０をラジエター６１３側からみた図が示されている。図４の例では、送風冷却機構６２０は、ファンケース６２１に６個のファン６３１〜６３６が固定されてなる。より具体的には、ファン６３１〜６３６は、上下２段に配置されている。上段には、左から右に向けて順にファン６３１、６３２、６３３が配列されており、下段には、右から左に向けて順にファン６３４、６３５、６３６が配列されている。これらのファン６３１〜６３６の回転数は、冷却コントロール部９００によって制御される。
【００３４】
図２に戻り、冷却部７２０は、空冷方式で冷却を行う冷却部であり、図４に示すような冷却部６００における送風冷却機構６２０と同様な構成を備える。具体的には、冷却部７２０は、複数のファン７３０と、これらのファン７３０を固定するファンケース７２１とを有する。より具体的には、冷却部７２０は、図４に示すように、送風冷却機構６２０と同様に、ファンケース７２１に６個のファン７３１〜７３６が固定されてなる。ファン７３１〜７３６は、上下２段に配置されている。上段には、左から右に向けて順にファン７３１、７３２、７３３が配列されており、下段には、右から左に向けて順にファン７３４、７３５、７３６が配列されている。これらのファン７３１〜７３６の回転数は、冷却コントロール部９００によって制御される。
【００３５】
図２に戻り、温度センサ８００は、プロジェクタ装置１の筐体１０内において、ファンからの風の影響を受けにくい筐体１０の側壁近傍に設けられている。温度センサ８００は、プロジェクタ装置１の周囲温度を検出する。なお、温度センサ８００は、光源部１００、表示コントロール部５００や冷却コントロール部９００、又は光学系（２００、３００、４００）等の熱源近傍に設けられ、熱源近傍の温度をプロジェクタ装置１の周囲温度として検出してもよい。
【００３６】
冷却コントロール部９００は、半導体メモリ等の記憶部と、ＣＰＵやＭＰＵ等の制御部とを備え、制御部が記憶部に記憶された各種プログラムを実行することにより、冷却部６００におけるファン６３１〜６３６の動作及び冷却部７２０におけるファン７３１〜７３６の動作を制御する。なお、制御部の機能は、ハードウェアとソフトウェアの協同により実現したが、制御部を所定の機能を実現するように専用に設計されたハードウェア回路のみで実現してもよい。例えば、制御部は、ＣＰＵ、ＭＰＵのみならず、ＤＳＰ、ＦＰＧＡ、ＡＳＩＣ等で構成することができる。
【００３７】
冷却コントロール部９００は、記憶部に記憶された回転数制御テーブル（後述）を参照して、温度センサ８００によって検出されたプロジェクタ装置１の周囲温度に応じて、冷却部６００におけるファン６３１〜６３６の回転数及び冷却部７２０におけるファン７３１〜７３６の回転数を制御する。
【００３８】
［１−１−３．回転数制御テーブル］
以下、回転数制御テーブルについて説明する。図５は、実施の形態１の冷却コントロール部９００の記憶部に記憶された回転数制御テーブルの一例を示す図である。なお、図５ではファン６３１〜６３６に対する回転数が示されているが、これらの回転数はファン７３１〜７３６にも適用される。図５に示すように、回転数制御テーブルは、複数の回転モード１、２、３、４における各ファン６３１〜６３６の回転数を管理する。各回転モードは、周囲温度Ｔに応じて設定される。
【００３９】
ファン６３１〜６３６の回転数に対応する回転周波数がプロジェクタ装置１の共振周波数に近い場合に、ファン６３１〜６３６の回転周波数とプロジェクタ装置１の共振周波数との共振現象に起因してプロジェクタ装置１の共振振動が発生する。この共振振動の発生を低減するため、本実施の形態の回転制御テーブルは、特に、プロジェクタ装置１の共振振動を引き起こす可能性の少ない回転数のみを含むように構成される。具体的には、回転制御テーブルは、プロジェクタ装置１の共振周波数よりも小さい回転周波数を与える第１の回転数と、プロジェクタ装置１の共振周波数よりも大きい回転周波数を与える第２の回転数とで構成される。
【００４０】
例えば、本実施形態では、プロジェクタ装置１の共振周波数が、２５００ｒｐｍに対応する回転周波数と２９００ｒｐｍに対応する回転周波数との間にあることを想定している。このため、回転制御テーブルにおいて、第１の回転数を２５００ｒｐｍよりも小さい値である２４００ｒｐｍに設定し、第２の回転数を２９００ｒｐｍよりも大きい値である３０００ｒｐｍに設定している。
【００４１】
また、本実施の形態のプロジェクタ装置１は、周囲温度の範囲に応じて複数の回転モードを設定しており、回転モード毎に各ファン６３１〜６３６に対する回転数を規定している。
【００４２】
すなわち、回転制御テーブルにおいて、回転モード毎に、第１の回転数もしくは第２の回転数またはそれらの組み合わせにより各ファン６３１〜６３６に対する回転数が規定されている。回転制御テーブルにおいてプロジェクタ装置１の共振振動を引き起こす可能性の少ない第１及び第２の回転数を設定し、これらの回転数に基づき各ファン６３１〜６３６を制御することで、プロジェクタ装置１の共振振動の発生を低減できる。また、第１及び第２の回転数を組み合わせることにより、第１の回転数のみを用いた場合の冷却機能と、第２の回転数のみを用いた場合の冷却機能との間の冷却機能を実現することができ、また、ファン６３１〜６３６間の共振振動も防止することができる。
【００４３】
より具体的には、図５に示すように、本実施の形態の回転制御テーブルは、周囲温度Ｔが第１のしきい値Ｔ１未満であるときの回転モード１では、ファン６３１〜６３６の全てに対して第１の回転数である２４００ｒｐｍが設定されている。周囲温度Ｔが第３のしきい値Ｔ３以上（Ｔ１＜Ｔ３）であるときの回転モード４では、ファン６３１〜６３６の全てに対して第２の回転数である３０００ｒｐｍが設定されている。
【００４４】
また、周囲温度Ｔが第１のしきい値Ｔ１以上かつ第２のしきい値Ｔ２未満（Ｔ１＜Ｔ２＜Ｔ３）であるときの回転モード２では、ファン６３１、６３４に対して第２の回転数３０００ｒｐｍが設定され、残りのファン６３２、６３３、６３５、６３６に対して第１の回転数２４００ｒｐｍが設定されている。周囲温度Ｔが第２のしきい値Ｔ２以上かつ第３のしきい値Ｔ３未満であるときの回転モード３では、ファン６３１、６３２、６３４、６３５に対して第２の回転数３０００ｒｐｍが設定され、残りのファン６３３、６３６に対して第１の回転数２４００ｒｐｍが設定されている。
【００４５】
なお、第１の回転数は、プロジェクタ装置１の共振周波数に対応する回転数よりも低い値であればよく、例えばプロジェクタ装置１の共振周波数よりも５Ｈｚ低い周波数に対応する回転数以下に設定されてもよい。また、第２の回転数は、プロジェクタ装置１の共振周波数に対応する回転数よりも高い値であればよく、例えばプロジェクタ装置１の共振周波数よりも５Ｈｚ高い周波数に対応する回転数以上に設定されてもよい。
【００４６】
本実施の形態では、回転モード１〜４において設定される回転数は、第１の回転数２４００ｒｐｍと第２の回転数３０００ｒｐｍとの２種類のみである。回転モード２、３では、回転モード１で設定された第１の回転数２４００ｒｐｍと回転モード４で設定された第２の回転数３０００ｒｐｍとの２種類の回転数が組み合わされて設定されている。
【００４７】
また、回転モード１から回転モード４に向けて、すなわち周囲温度Ｔの上昇に応じて、ファン６３１〜６３６の総回転数が大きくなるように、第１の回転数で回転させるファンの数及び第２の回転数で回転させるファンの数が設定されている。
【００４８】
また、回転モード２、３では、回転数の組み合わせが図４に示すファン６３１〜６３６の配置において点対称となるように、ファン６３１〜６３６の回転数が設定されている。これにより、ラジエター６１３全体を比較的に均一に冷却することができる。
【００４９】
［１−２．動作］
以上のように構成されたプロジェクタ装置１における冷却コントロール部９００による冷却部６００のファン６３１〜６３６の回転数制御及び冷却部７２０のファン７３１〜７３６の回転数制御について、その動作を以下説明する。
【００５０】
プロジェクタ装置１が起動されると、冷却コントロール部９００は、記憶部に記憶された回転数制御テーブル（図５）を参照して、温度センサ８００によって検出されたプロジェクタ装置１の周囲温度Ｔに応じて、冷却部６００のファン６３１〜６３６の目標回転数及び冷却部７２０のファン７３１〜７３６の目標回転数を決定して、ファン６３１〜６３６の回転数及びファン７３１〜７３６の回転数を、決定した目標回転数に制御する。
【００５１】
具体的には、プロジェクタ装置１の周囲温度Ｔが第１のしきい値Ｔ１未満であるとき、冷却コントロール部９００は、回転数制御テーブルにおける回転モード１に従って、ファン６３１〜６３６の全てを第１の回転数２４００ｒｐｍで回転させる。また、冷却コントロール部９００は、ファン７３１〜７３６の全てを第１の回転数２４００ｒｐｍで回転させる。このように、プロジェクタ装置１の共振周波数に対応する回転数よりも十分に小さい第１の回転数２４００ｒｐｍを使用することにより、ファン６３１〜６３６（又はファン７３１〜７３６）の回転周波数とプロジェクタ装置１の共振周波数との共振現象に起因するプロジェクタ装置１の共振振動の発生を抑制することができる。
【００５２】
また、プロジェクタ装置１の周囲温度Ｔが第１のしきい値Ｔ１以上かつ第２のしきい値Ｔ２未満であるとき、冷却コントロール部９００は、回転数制御テーブルにおける回転モード２に従って、ファン６３１、６３４を第２の回転数３０００ｒｐｍで回転させ、残りのファン６３２、６３３、６３５、６３６を第１の回転数２４００ｒｐｍで回転させる。また、冷却コントロール部９００は、ファン７３１、７３４を第２の回転数３０００ｒｐｍで回転させ、残りのファン７３２、７３３、７３５、７３６を第１の回転数２４００ｒｐｍで回転させる。このように、プロジェクタ装置１の共振周波数に対応する回転数よりも十分に小さい第１の回転数２４００ｒｐｍと、プロジェクタ装置１の共振周波数に対応する回転数よりも十分に大きい第２の回転数３０００ｒｐｍとを組み合わせて使用することにより、第１の回転数のみを用いた場合の冷却機能と、第２の回転数のみを用いた場合の冷却機能との間の冷却機能を実現することができ、また、ファン６３１〜６３６（又はファン７３１〜７３６）の回転周波数とプロジェクタ装置１の共振周波数との共振現象に起因するプロジェクタ装置１の共振振動の発生を抑制することができる。さらに、ファン６３１〜６３６（又はファン７３１〜７３６）間の共振振動も抑制することができる。
【００５３】
また、プロジェクタ装置１の周囲温度Ｔが第２のしきい値Ｔ２以上かつ第３のしきい値Ｔ３未満であるとき、冷却コントロール部９００は、回転数制御テーブルにおける回転モード３に従って、ファン６３１、６３２、６３４、６３５を第２の回転数３０００ｒｐｍで回転させ、残りのファン６３３、６３６を第１の回転数２４００ｒｐｍで回転させる。また、冷却コントロール部９００は、ファン７３１、７３２、７３４、７３５を第２の回転数３０００ｒｐｍで回転させ、残りのファン７３３、７３６を第１の回転数２４００ｒｐｍで回転させる。この場合にも、上記同様に第１の回転数２４００ｒｐｍと第２の回転数３０００ｒｐｍとを組み合わせて使用するので、第１の回転数のみを用いた場合の冷却機能と、第２の回転数のみを用いた場合の冷却機能との間の冷却機能を実現することができ、また、ファン６３１〜６３６（又はファン７３１〜７３６）の回転周波数とプロジェクタ装置１の共振周波数との共振現象に起因するプロジェクタ装置１の共振振動の発生を抑制することができる。さらに、ファン６３１〜６３６（又はファン７３１〜７３６）間の共振振動も抑制することができる。
【００５４】
また、プロジェクタ装置１の周囲温度Ｔが第３のしきい値Ｔ３以上であるとき、冷却コントロール部９００は、回転数制御テーブルにおける回転モード４に従って、ファン６３１〜６３６の全てを第２の回転数３０００ｒｐｍで回転させる。また、冷却コントロール部９００は、ファン７３１〜７３６の全てを第２の回転数３０００ｒｐｍで回転させる。このように、プロジェクタ装置１の共振周波数に対応する回転数よりも十分に大きい第２の回転数３０００ｒｐｍを使用することにより、ファン６３１〜６３６（又はファン７３１〜７３６）の回転周波数とプロジェクタ装置１の共振周波数との共振現象に起因するプロジェクタ装置１の共振振動の発生を抑制することができる。
【００５５】
ここで、図６は、比較例１にかかる回転数制御テーブルの一例を示す図である。この比較例１の回転数制御テーブルでは、回転モード２及び３において、プロジェクタ装置１の共振周波数近傍の回転周波数を与える回転数２６００ｒｐｍ及び２８００ｒｐｍがそれぞれ設定されている点で、図５に示す本実施の形態の回転数制御テーブルと異なる。より具体的には、回転モード２では全てのファン６３１〜６３６に対して同一の回転数２６００ｒｐｍが設定されており、回転モード３では全てのファン６３１〜６３６に対して同一の回転数２８００ｒｐｍが設定されている。
【００５６】
この比較例１の回転数制御テーブルに従ってファン６３１〜６３６の回転数を制御すると、回転モード２及び３では、ファン６３１〜６３６の回転数に対応する回転周波数がプロジェクタ装置１の共振周波数に近いので、ファン６３１〜６３６の回転周波数とプロジェクタ装置１の共振周波数との共振現象に起因してプロジェクタ装置１の共振振動が発生し、投写映像に揺れ（乱れ）が発生してしまう。
【００５７】
これに対して、本実施の形態では、回転モード２及び３において、プロジェクタ装置１の共振周波数に対応する回転数よりも十分に低い第１の回転数２４００ｒｐｍと、プロジェクタ装置１の共振周波数に対応する回転数よりも十分に高い第２の回転数３０００ｒｐｍとを組み合わせて使用する。これにより、比較例１の回転数制御テーブルにおける回転モード２及び３に従ってファン６３１〜６３６を回転させたときと同等の冷却能力を得ることができる。さらに、プロジェクタ装置１の共振周波数近傍の回転周波数を与える回転数を使用しないので、ファン６３１〜６３６の回転周波数とプロジェクタ装置１の共振周波数との共振現象に起因するプロジェクタ装置１の共振振動の発生を抑制することができる。このように、本実施の形態によれば、所望の冷却能力を実現しつつ、プロジェクタ装置１の共振振動の発生を抑制することができる。そのため、プロジェクタ装置１の共振振動に起因する投写映像の揺れ（乱れ）の発生を抑制することができる。
【００５８】
［１−３．効果等］
以上のように、本実施の形態において、プロジェクタ装置１は、映像光を投写して表示する投写型映像表示装置であって、光源部１００と、映像生成部３００と、投写光学系４００と、複数のファン６３１〜６３６と、冷却コントロール部９００とを備える。映像生成部３００は、光源部１００からの光を映像信号によって変調して映像光を生成し、投写光学系４００は、映像光を投写する。複数のファン６３１〜６３６は、光源部１００を冷却するためのものであり、冷却コントロール部９００は、複数のファン６３１〜６３６の回転数を制御する。冷却コントロール部９００は、複数のファン６３１〜６３６のうちの一部のファンをプロジェクタ装置１の共振周波数に対応する回転数よりも低い第１の回転数で回転させ、複数のファン６３１〜６３６のうちの一部のファン以外のファンを共振周波数に対応する回転数よりも高い第２の回転数で回転させる（回転モード２又は３に対応）。
【００５９】
これにより、複数のファン６３１〜６３６の全てをプロジェクタ装置１の共振周波数近傍の回転周波数を与える回転数で回転させたとき（比較例１の回転モード２又は３）と同等の冷却能力を得ることができる。さらに、プロジェクタ装置１の共振周波数近傍の回転周波数に対応する回転数を使用しないので、ファン６３１〜６３６の回転周波数とプロジェクタ装置１の共振周波数との共振現象に起因するプロジェクタ装置１の共振振動の発生を抑制することができる。このように、本実施の形態によれば、冷却能力を確保しつつ、プロジェクタ装置１の共振振動の発生を抑制することができる。そのため、プロジェクタ装置１の共振振動に起因する投写映像の揺れ（乱れ）の発生を抑制することができる。
【００６０】
（実施の形態２）
実施の形態１では、プロジェクタ装置１の共振周波数に対応する回転数よりも低い第１の回転数として１つの回転数を設定し、プロジェクタ装置１の共振周波数に対応する回転数よりも高い第２の回転数として１つの回転数を設定した。実施の形態２では、プロジェクタ装置１の共振周波数に対応する回転数よりも低い第１の回転数群として、所定の回転数ずつそれぞれ異なる複数の第１の回転数を設定し、プロジェクタ装置１の共振周波数に対応する回転数よりも高い第２の回転数群として、所定の回転数ずつそれぞれ異なる複数の第２の回転数を設定する。すなわち、実施の形態２では、各回転モード１〜４において、ファン６３１〜６３６のそれぞれの回転数が所定の回転数ずつ異なる。
【００６１】
実施の形態２のプロジェクタ装置１の構成は、図２を参照して説明した実施の形態１のものと基本的に同様であるが、冷却コントロール部９００の記憶部に記憶された回転数制御テーブルが前述のものと異なる。よって、実施の形態２のプロジェクタ装置１は、冷却コントロール部９００の冷却部６００のファン６３１〜６３６の回転数制御及び冷却部７２０のファン７３１〜７３６の回転数制御の動作が実施の形態１のものと異なる。
【００６２】
以下、図７及び図８を用いて、実施の形態２における回転数制御テーブルの構成を説明する。また、冷却コントロール部９００による冷却部６００のファン６３１〜６３６の回転数制御及び冷却部７２０のファン７３１〜７３６の回転数制御の動作を説明する。
【００６３】
図７は、実施の形態２の冷却コントロール部９００の記憶部に記憶された回転数制御テーブルの一例を示す図である。本実施の形態でも、回転制御テーブルは、特に、プロジェクタ装置１の共振振動を引き起こす可能性の少ない回転数のみを含むように構成される。具体的には、回転制御テーブルは、プロジェクタ装置１の共振周波数よりも小さい回転周波数を与える複数の第１の回転数と、プロジェクタ装置１の共振周波数よりも大きい回転周波数を与える複数の第２の回転数とで構成される。複数の第１の回転数は所定の回転数ずつそれぞれ異なり、複数の第２の回転数は所定の回転数ずつそれぞれ異なる。
【００６４】
回転制御テーブルにおいて、複数の第１の回転数を２５００ｒｐｍよりも小さい値である２３４０ｒｐｍ、２３７０ｒｐｍ、２４００ｒｐｍ、２４３０ｒｐｍ、２４６０ｒｐｍ、２４９０ｒｐｍにそれぞれ設定し、複数の第２の回転数を２９００ｒｐｍよりも大きい値である２９４０ｒｐｍ、２９７０ｒｐｍ、３０００ｒｐｍ、３０３０ｒｐｍ、３０６０ｒｐｍ、３０９０ｒｐｍにそれぞれ設定している。
【００６５】
本実施の形態でも、回転制御テーブルにおいて、回転モード毎に、第１の回転数もしくは第２の回転数またはそれらの組み合わせにより各ファン６３１〜６３６に対する回転数が規定されている。
【００６６】
より具体的には、図７に示すように、本実施の形態の回転制御テーブルは、周囲温度Ｔが第１のしきい値Ｔ１未満であるときの回転モード１では、ファン６３１〜６３６に対して、所定の回転数３０ｒｐｍずつそれぞれ異なる複数の第１の回転数２３４０ｒｐｍ、２３７０ｒｐｍ、２４００ｒｐｍ、２４３０ｒｐｍ、２４６０ｒｐｍ、２４９０ｒｐｍ（第１の回転数群）がそれぞれ設定されている。周囲温度Ｔが第３のしきい値Ｔ３以上であるときの回転モード４では、ファン６３１〜６３６に対して、所定の回転数３０ｒｐｍずつそれぞれ異なる複数の第２の回転数２９４０ｒｐｍ、２９７０ｒｐｍ、３０００ｒｐｍ、３０３０ｒｐｍ、３０６０ｒｐｍ、３０９０ｒｐｍ（第２の回転数群）がそれぞれ設定されている。
【００６７】
また、周囲温度Ｔが第１のしきい値Ｔ１以上かつ第２のしきい値Ｔ２未満であるときの回転モード２では、ファン６３１、６３４に対して第２の回転数２９４０ｒｐｍ、３０３０ｒｐｍがそれぞれ設定され、残りのファン６３２、６３３、６３５、６３６に対して第１の回転数２３７０ｒｐｍ、２４００ｒｐｍ、２４６０ｒｐｍ、２４９０ｒｐｍがそれぞれ設定されている。周囲温度Ｔが第２のしきい値Ｔ２以上かつ第３のしきい値Ｔ３未満であるときの回転モード３では、ファン６３１、６３２、６３４、６３５に対して第２の回転数２９４０ｒｐｍ、２９７０ｒｐｍ、３０３０ｒｐｍ、３０６０ｒｐｍがそれぞれ設定され、残りのファン６３３、６３６に対して第１の回転数２４００ｒｐｍ、２４９０ｒｐｍがそれぞれ設定されている。
【００６８】
なお、本実施の形態でも、複数の第１の回転数は、プロジェクタ装置１の共振周波数に対応する回転数よりも低い値であればよく、例えばプロジェクタ装置１の共振周波数よりも５Ｈｚ低い周波数に対応する回転数以下に設定されてもよい。また、複数の第２の回転数は、プロジェクタ装置１の共振周波数に対応する回転数よりも高い値であればよく、例えばプロジェクタ装置１の共振周波数よりも５Ｈｚ高い周波数に対応する回転数以上に設定されてもよい。
【００６９】
本実施の形態でも、回転モード２、３では、回転モード１で使用される第１の回転数と回転モード４で使用される第２の回転数とが組み合わされて設定されている。また、回転モード１から回転モード４に向けて、すなわち周囲温度Ｔの上昇に応じて、ファン６３１〜６３６の総回転数が大きくなるように、第１の回転数で回転させるファンの数及び第２の回転数で回転させるファンの数が設定されている。
【００７０】
以上のように構成されたプロジェクタ装置１における冷却コントロール部９００による冷却部６００のファン６３１〜６３６の回転数制御及び冷却部７２０のファン７３１〜７３６の回転数制御について、その動作を以下説明する。
【００７１】
プロジェクタ装置１が起動されると、冷却コントロール部９００は、記憶部に記憶された回転数制御テーブル（図７）を参照して、温度センサ８００によって検出されたプロジェクタ装置１の周囲温度Ｔに応じて、冷却部６００のファン６３１〜６３６の目標回転数及び冷却部７２０のファン７３１〜７３６の目標回転数を決定して、ファン６３１〜６３６の回転数及びファン７３１〜７３６の回転数を、決定した目標回転数に制御する。
【００７２】
具体的には、プロジェクタ装置１の周囲温度Ｔが第１のしきい値Ｔ１未満であるとき、冷却コントロール部９００は、回転数制御テーブルにおける回転モード１に従って、ファン６３１〜６３６をそれぞれ第１の回転数２３４０ｒｐｍ、２３７０ｒｐｍ、２４００ｒｐｍ、２４３０ｒｐｍ、２４６０ｒｐｍ、２４９０ｒｐｍで回転させる。また、冷却コントロール部９００は、ファン７３１〜７３６をそれぞれ第１の回転数２３４０ｒｐｍ、２３７０ｒｐｍ、２４００ｒｐｍ、２４３０ｒｐｍ、２４６０ｒｐｍ、２４９０ｒｐｍで回転させる。このように、プロジェクタ装置１の共振周波数に対応する回転数よりも十分に小さい複数の第１の回転数を使用することにより、ファン６３１〜６３６（又はファン７３１〜７３６）の回転周波数とプロジェクタ装置１の共振周波数との共振現象に起因するプロジェクタ装置１の共振振動の発生を抑制することができる。さらに、複数の第１の回転数が所定の回転数３０ｒｐｍずつそれぞれ異なるので、ファン６３１〜６３６（又はファン７３１〜７３６）間の共振振動も抑制することができる。
【００７３】
また、プロジェクタ装置１の周囲温度Ｔが第１のしきい値Ｔ１以上かつ第２のしきい値Ｔ２未満であるとき、冷却コントロール部９００は、回転数制御テーブルにおける回転モード２に従って、ファン６３１、６３４をそれぞれ第２の回転数２９４０ｒｐｍ、３０３０ｒｐｍで回転させ、残りのファン６３２、６３３、６３５、６３６をそれぞれ第１の回転数２３７０ｒｐｍ、２４００ｒｐｍ、２４６０ｒｐｍ、２４９０ｒｐｍで回転させる。また、冷却コントロール部９００は、ファン７３１、７３４をそれぞれ第２の回転数２９４０ｒｐｍ、３０３０ｒｐｍで回転させ、残りのファン７３２、７３３、７３５、７３６をそれぞれ第１の回転数２３７０ｒｐｍ、２４００ｒｐｍ、２４６０ｒｐｍ、２４９０ｒｐｍで回転させる。このように、プロジェクタ装置１の共振周波数に対応する回転数よりも十分に小さい複数の第１の回転数と、プロジェクタ装置１の共振周波数に対応する回転数よりも十分に大きい第２の回転数とを組み合わせて使用することにより、第１の回転数のみを用いた場合の冷却機能と、第２の回転数のみを用いた場合の冷却機能との間の冷却機能を実現することができ、また、ファン６３１〜６３６（又はファン７３１〜７３６）の回転周波数とプロジェクタ装置１の共振周波数との共振現象に起因するプロジェクタ装置１の共振振動の発生を抑制することができる。さらに、ファン６３１〜６３６（又はファン７３１〜７３６）間の共振振動も抑制することができる。
【００７４】
また、プロジェクタ装置１の周囲温度Ｔが第２のしきい値Ｔ２以上かつ第３のしきい値Ｔ３未満であるとき、冷却コントロール部９００は、回転数制御テーブルにおける回転モード３に従って、ファン６３１、６３２、６３４、６３５をそれぞれ第２の回転数２９４０ｒｐｍ、２９７０ｒｐｍ、３０３０ｒｐｍ、３０６０ｒｐｍで回転させ、残りのファン６３３、６３６をそれぞれ第１の回転数２４００ｒｐｍ、２４９０ｒｐｍで回転させる。また、冷却コントロール部９００は、ファン７３１、７３２、７３４、７３５をそれぞれ第２の回転数２９４０ｒｐｍ、２９７０ｒｐｍ、３０３０ｒｐｍ、３０６０ｒｐｍで回転させ、残りのファン７３３、７３６をそれぞれ第１の回転数２４００ｒｐｍ、２４９０ｒｐｍで回転させる。この場合にも、上記同様に複数の第１の回転数と複数の第２の回転数３０００ｒｐｍとを組み合わせて使用するので、第１の回転数のみを用いた場合の冷却機能と、第２の回転数のみを用いた場合の冷却機能との間の冷却機能を実現することができ、また、ファン６３１〜６３６（又はファン７３１〜７３６）の回転周波数とプロジェクタ装置１の共振周波数との共振現象に起因するプロジェクタ装置１の共振振動の発生を抑制することができる。さらに、ファン６３１〜６３６（又はファン７３１〜７３６）間の共振振動も抑制することができる。
【００７５】
また、プロジェクタ装置１の周囲温度Ｔが第３のしきい値Ｔ３以上であるとき、冷却コントロール部９００は、回転数制御テーブルにおける回転モード４に従って、ファン６３１〜６３６をそれぞれ第２の回転数２９４０ｒｐｍ、２９７０ｒｐｍ、３０００ｒｐｍ、３０３０ｒｐｍ、３０６０ｒｐｍ、３０９０ｒｐｍで回転させる。また、冷却コントロール部９００は、ファン７３１〜７３６をそれぞれ第２の回転数２９４０ｒｐｍ、２９７０ｒｐｍ、３０００ｒｐｍ、３０３０ｒｐｍ、３０６０ｒｐｍ、３０９０ｒｐｍで回転させる。このように、プロジェクタ装置１の共振周波数に対応する回転数よりも十分に大きい複数の第２の回転数を使用することにより、ファン６３１〜６３６（又はファン７３１〜７３６）の回転周波数とプロジェクタ装置１の共振周波数との共振現象に起因するプロジェクタ装置１の共振振動の発生を抑制することができる。さらに、複数の第２の回転数が所定の回転数３０ｒｐｍずつそれぞれ異なるので、ファン６３１〜６３６（又はファン７３１〜７３６）間の共振振動も抑制することができる。
【００７６】
ここで、図８は、比較例２にかかる回転数制御テーブルの一例を示す図である。この比較例２の回転数制御テーブルは、回転モード２及び３において、プロジェクタ装置１の共振周波数近傍の回転周波数を与える回転数２５４０〜２６９０ｒｐｍ及び２７４０〜２８９０ｒｐｍがそれぞれ設定されている点で、図７に示す本実施の形態の回転数制御テーブルと異なる。より具体的には、回転モード２ではファン６３１〜６３６に対して所定の回転数３０ｒｐｍずつ異なる回転数２５４０ｒｐｍ、２５７０ｒｐｍ、２６００ｒｐｍ、２６３０ｒｐｍ、２６６０ｒｐｍ、２６９０ｒｐｍがそれぞれ設定されており、回転モード３ではファン６３１〜６３６に対して所定の回転数３０ｒｐｍずつ異なる回転数２７４０ｒｐｍ、２７７０ｒｐｍ、２８００ｒｐｍ、２８３０ｒｐｍ、２８６０ｒｐｍ、２８９０ｒｐｍがそれぞれ設定されている。
【００７７】
比較例２の回転数制御テーブルに従ってファン６３１〜６３６の回転数を制御すると、回転モード２及び３では、ファン６３１〜６３６の回転数に対応する回転周波数がプロジェクタ装置１の共振周波数に近いので、ファン６３１〜６３６の回転周波数とプロジェクタ装置１の共振周波数との共振現象に起因してプロジェクタ装置の共振振動が発生し、投写映像に揺れ（乱れ）が発生してしまう。
【００７８】
これに対して、本実施の形態では、回転モード２及び３において、プロジェクタ装置１の共振周波数に対応する回転数よりも十分に低い複数の第１の回転数２３４０ｒｐｍ、２３７０ｒｐｍ、２４００ｒｐｍ、２４３０ｒｐｍ、２４６０ｒｐｍ、２４９０ｒｐｍと、プロジェクタ装置１の共振周波数に対応する回転数よりも十分に高い複数の第２の回転数２９４０ｒｐｍ、２９７０ｒｐｍ、３０００ｒｐｍ、３０３０ｒｐｍ、３０６０ｒｐｍ、３０９０ｒｐｍとを組み合わせて使用する。これにより、比較例２の回転数制御テーブルにおける回転モード２及び３に従ってファン６３１〜６３６を回転させたときと同等の冷却能力を得ることができる。さらに、プロジェクタ装置１の共振周波数近傍の回転周波数を与える回転数を使用しないので、ファン６３１〜６３６の回転周波数とプロジェクタ装置１の共振周波数との共振現象に起因するプロジェクタ装置１の共振振動の発生を抑制することができる。このように、実施の形態２でも、実施の形態１と同様に、所望の冷却能力を実現しつつ、プロジェクタ装置１の共振振動の発生を抑制することができる。そのため、プロジェクタ装置１の共振振動に起因する投写映像の揺れ（乱れ）の発生を抑制することができる。
【００７９】
さらに、実施の形態２では、各回転モードにおいて、複数のファン６３１〜６３６（及び／又は、ファン７３１〜７３６）の回転数を所定の回転数ずつ異ならせるので、ファン６３１〜６３６（及び／又は、ファン７３１〜７３６）同士の共振現象に起因するプロジェクタ装置１の共振振動の発生を抑制することができる。
【００８０】
（他の実施の形態）
以上のように、本出願において開示する技術の例示として、実施の形態１及び２を説明した。しかしながら、本開示における技術は、これに限定されず、適宜、変更、置換、付加、省略などを行った実施の形態にも適用可能である。また、上記実施の形態１及び２で説明した各構成要素を組み合わせて、新たな実施の形態とすることも可能である。そこで、以下、他の実施の形態を例示する。
【００８１】
本実施の形態では、ファン６３１〜６３６を、プロジェクタ装置１の共振周波数に対応する回転数よりも低い第１の回転数で回転させる回転モード１（低回転モード）と、ファン６３１〜６３６を、プロジェクタ装置１の共振周波数に対応する回転数よりも高い第２の回転数で回転させる回転モード４（高回転モード）と、ファン６３１〜６３６のうちの一部のファンを第１の回転数で回転させ、残りのファンを第２の回転数で回転させる回転モード２、３（中間回転モード）とを有する回転数制御テーブルを例示した。しかし、本開示はこれに限定されず、回転数制御テーブルは、回転モード１及び４を有さず、回転モード２、３のように第１の回転数と第２の回転数とを組み合わせる回転モードのみを複数有する形態であってもよい。また、回転数制御テーブルは、回転モード２、３のように第１の回転数と第２の回転数とを組み合わせる回転モードを１つだけ備える形態であってもよい。
【００８２】
本実施の形態では、光源部１００を冷却する冷却部６００として、液冷機構６１０と送風冷却機構６２０とを備える液冷方式の冷却部を例示したが、冷却部６００は、液冷機構６１０を備えず送風冷却機構６２０のみから構成される空冷方式の冷却部であってもよい。この場合、冷却部６００におけるファン６３１〜６３６は光源部１００に向けて送風する。或いは、ファン６３１〜６３６は、筐体１０の内部の高温の空気を筐体１０の外部に排出する形態であってもよいし、筐体１０の外部の空気を筐体１０の内部に吸い込む形態であってもよいし、これらの排気及び吸気の両方を同時に行う形態であってもよい。本開示の特徴は、このような空冷方式の冷却部におけるファン６３１〜６３６の回転数制御にも適用可能である。
【００８３】
また、本実施の形態では、光学系を冷却するために空冷方式の冷却部７２０が使用されたが、光学系におけるＤＭＤ３４１、３４２、３４３を冷却するために液冷方式の冷却部６００が用いられてもよい。
【００８４】
以上のように、本開示における技術の例示として、実施の形態を説明した。そのために、添付図面および詳細な説明を提供した。
【００８５】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８６】
また、上述の実施の形態は、本開示における技術を例示するためのものであるから、特許請求の範囲またはその均等の範囲において種々の変更、置換、付加、省略などを行うことができる。
【産業上の利用可能性】
【００８７】
本開示は、映像光を投写して表示する投写型映像表示装置に適用可能である。
【符号の説明】
【００８８】
１  プロジェクタ装置（投写型映像表示装置）
１０  筐体
１００  光源部
１１０  発光管
１２０  リフレクタ
２００  導光光学系
２１０  コンデンサレンズ
２２０  ロッド
２３０  リレーレンズ
２４０  反射ミラー
３００  映像生成部
３１０  フィールドレンズ
３２０  全反射プリズム
３２１、３２２  プリズム
３２５  空気層
３３０  カラープリズム
３３１、３３２、３３３  プリズム
３３５、３３６  ダイクロイックミラー
３４１、３４２、３４３  ＤＭＤ
４００  投写光学系
５００  表示コントロール部
６００  冷却部
６１０  液冷機構
６１１  受熱部
６１２  冷却水ホース
６１３  ラジエター
６２０  送風冷却機構
６２１  ファンケース
６３０、６３１、６３２、６３３、６３４、６３５、６３６  複数のファン
７２０  冷却部
７２１  ファンケース
７３０  複数のファン
８００  温度センサ
９００  冷却コントロール部（制御部）
【図１】
2017211492.tif 000003
【図２】
2017211492.tif 000004
【図３】
2017211492.tif 000005
【図４】
2017211492.tif 000006
【図５】
2017211492.tif 000007
【図６】
2017211492.tif 000008
【図７】
2017211492.tif 000009
【図８】
2017211492.tif 000010